(57)【特許請求の範囲】
【請求項１】
前身頃外装体（１）と，後身頃外装体（２）と，吸収性本体（３）を有し，
前記吸収性本体（３）の前身頃側が，前記前身頃外装体（１）に固定され，
前記吸収性本体（３）の後身頃側が，前記後身頃外装体（２）に固定され，
前記吸収性本体（３）の前記前身頃側と前記後身頃側の間に位置する股下域は，前記前身頃外装体（１）及び前記後身頃外装体（２）のいずれにも固定されない
使い捨ておむつであって，
前記吸収性本体（３）は，液透過性のトップシート（３２），不透過性のバックシート（３３），前記トップシート（３２）と前記バックシート（３３）の間に配置され液体を吸収し保持するための吸収体（３１），及び前記吸収体（３１）の両側縁に沿って配置されたサイドシート（３４ａ）を有し，
前記サイドシート（３４ａ）は，前記使い捨ておむつの長手方向に沿った固定線において前記トップシート（３２）上に部分的に固定されており，
前記吸収性本体（３）は，前記吸収性本体（３）の幅方向の左右両側部に，複数の弾性伸縮部材（４）が配置され，
前記複数の弾性伸縮部材（４）は，前記固定線よりも前記幅方向の外側において前記サイドシート（３４ａ）に固定された複数の外側ギャザー伸縮部材（４１）と，前記固定線よりも前記幅方向の内側において前記サイドシート（３４ａ）に固定された内側ギャザー伸縮部材（４２）とを含み，
前記外側ギャザー伸縮部材（４１）は，前記吸収性本体（３）の長さ方向に沿って，少なくとも前記吸収性本体（３）の長さ方向の両端に位置する両端領域（５１）には達しない長さで配置されており，
前記吸収性本体（３）は，前記長さ方向の両端領域（５１）において，前記前身頃外装体（１）及び前記後身頃外装体（２）に対して，前記幅方向全域に亘って接合されており，
前記吸収性本体（３）は，
前記外側ギャザー伸縮部材（４１）が前記前身頃外装体（１）と前記後身頃外装体（２）に重なる箇所から，前記幅方向に亘る伸縮領域（５２）において，
前記複数の外側ギャザー伸縮部材（４１）のうち，少なくとも前記幅方向の最も外側に位置する外側弾性伸縮部材（４ａ）が配置された外側領域（５２ａ）では，前記前身頃外装体（１）及び前記後身頃外装体（２）から離間しており，
前記外側領域（５２ａ）よりも前記幅方向内側の内側領域（５２ｂ）では，前記前身頃外装体（１）及び前記後身頃外装体（２）に対して接合されており，
前記複数の外側ギャザー伸縮部材（４１）のうち，少なくとも前記幅方向の最も内側に位置する外側ギャザー伸縮部材（４１）は，前記内側領域（５２ｂ）に位置しており，
前記内側領域（５２ｂ）の幅は，前記吸収体（３１）の幅よりも大きいものであり，
前記吸収性本体（３）は，前記内側領域（５２ｂ）の前後方向全域に亘って，前記前身頃外装体（１）と前記後身頃外装体（２）に対して接合されている
使い捨ておむつ。
【請求項２】
前記外側領域（５２ａ）には，前記外側弾性伸縮部材（４ａ）の他に，さらに少なくとも一本以上の外側ギャザー伸縮部材（４１）が配置されている
請求項１に記載の使い捨ておむつ。
【請求項３】
前記伸縮領域（５２）において，前記内側領域（５２ｂ）が占める面積の割合は，７０％〜９０％である
請求項１又は請求項２に記載の使い捨ておむつ。
【請求項４】
前記吸収性本体（３）は，前記両端領域（５１）と前記伸縮領域（５２）の間に，中間領域（５３）を有し，
前記吸収性本体（３）は，前記中間領域（５３）において，前記両端領域（５１）よりも狭く，かつ，前記伸縮領域（５２）の前記内側領域（５２ｂ）よりも広い幅の接合領域（５３ａ）で，前記前身頃外装体（１）及び前記後身頃外装体（２）に対して接合されている
請求項１から請求項３のいずれかに記載の使い捨ておむつ。
【請求項５】
前記中間領域（５３）における前記接合領域（５３ａ）の幅は，前記両端領域（５１）から前記伸縮領域（５２）に向かって段階的又は無段階的に徐々に狭くなっている
請求項４に記載の使い捨ておむつ。
【請求項６】
前記前身頃外装体（１）と前記後身頃外装体（２）は，それぞれの左右両側部を対応させて重ね合わせた状態で接合する一対のサイドシール部（１１，２１）を有しており，
前記前身頃外装体（１）と前記後身頃外装体（２）は，
前記一対のサイドシール部（１１，２１）が形成された箇所からおむつの幅方向に亘る第１の領域（１２，２２）と，
前記第１の領域（１２，２２）から前記吸収性本体の股下域が存在する方向に延出した第２の領域（１３，２３）によって形成されており，
前記第２の領域（１３，２３）は，おむつの幅方向の幅が，前記第１の領域（１２，２２）よりも狭く，かつ，前記股下域に向かって漸次狭くなる形状であり，
前記吸収性本体（３）は，前記伸縮領域（５２）が，前記前身頃外装体（１）と前記後身頃外装体（２）の第２の領域（１３，２３）を含む領域に位置するように，前記前身頃外装体（１）及び前記後身頃外装体（２）に接合されている
請求項１から請求項５のいずれかに記載の使い捨ておむつ。
【発明の詳細な説明】
【技術分野】
【０００１】
本発明は，着用者の股下に装着され，尿などの液体を吸収し保持するための使い捨ておむつに関する。具体的に説明すると，本発明は，前身頃外装体と後身頃外装体との間に吸収性本体が架橋されたタイプの使い捨ておむつに関するものである。
【背景技術】
【０００２】
従来から，トップシートと，バックシートと，これらのシート間に介在する吸収体を含む使い捨ておむつが知られている。一般的な使い捨ておむつにおいて，吸収体は，着用者の肌に接する表面側から液透過性材料で形成されたトップシートにより被覆され，反対の裏面側から液不透過性材料で形成されたバックシートにより被覆されている。このため，例えば着用者が排泄した体液は，トップシートを透過して，吸収体により吸収され，バックシートによって外側への漏出が防止されるようになっている。
【０００３】
また，上記構成を有する使い捨ておむつとして，吸収性本体と，この吸収性本体を着用者の腰周りに保持するための前身頃外装体と後身頃外装体とが，それぞれ個別に形成されたタイプの使い捨ておむつ（いわゆる架橋型の使い捨ておむつ）が知られている（例えば特許文献１）。架橋型の使い捨ておむつでは，吸収性本体の長さ方向の一端側が前身頃外装体に固定され，吸収性本体の長さ方向の他端側が後身頃外装体に固定される。このため，吸収性本体は，前身頃外装体と後身頃外装体との間に，架橋されるような構造となる。そして，吸収性本体が架橋された状態で，前身頃外装体と後身頃外装体の両側縁部を固定することにより，パンツ型の使い捨ておむつが形成される。着用者は，このようにしてパンツ型に形成された使い捨ておむつに，両脚部を挿入することにより，着用することができるようになっている。また，架橋型の使い捨ておむつは，脚部周りの開口部が広く開放されているため，着用者は使い捨ておむつを装着した状態であっても，両脚部を比較的自由に動かすことができるという利点がある。
【先行技術文献】
【特許文献】
【０００４】
【特許文献１】特開２０１０−２３３７３３号公報
【発明の概要】
【発明が解決しようとする課題】
【０００５】
ところで，前身頃外装体と後身頃外装体に固定される吸収性本体の左右両側部には，一般的に，吸収性本体の長さ方向に沿って複数の弾性伸縮部材を配置することが好ましいとされている。この弾性伸縮部材は，例えば，着用者の脚部周りの密着性を高めたり，尿などの液体が漏出することを防止するための一対の立体ギャザーを形成する用途で，吸収性本体に配置されるものである。例えば，この弾性伸縮部材は，吸収性本体を形成する複数のシート間に伸長状態で接合されており，弾性伸縮部材が収縮すると，その収縮力を利用して，弾性伸縮部材が接合されたシートが着用者の肌に当接する方向に起立する。このため，吸収性本体に複数の弾性伸縮部材を配置することで，吸収性本体と着用者の肌の密着性を高まり，尿漏れ防止や着用感の向上を達成することができる。
【０００６】
ここで，上記した架橋型の使い捨ておむつの場合，吸収性本体の一端部側全体を前身頃外装体に固定し，他端部側全体を後身頃外装体に固定することとすると，弾性伸縮部材が存在する領域を含めて，吸収性本体が，前身頃外装体及び後身頃外装体に固定されることとなる。この弾性伸縮部材は，その収縮力によって，吸収性本体のシート材を着用者の肌に当接する方向に起立させることで，初めて密着性向上効果や尿漏防止効果を発揮する。しかしながら，この弾性伸縮部材の存在する領域を含めて，吸収性本体を前身頃外装体及び後身頃外装体に固定すると，固定された箇所において，弾性伸縮部材は吸収性本体のシート材を起立させることができなくなり，上記密着性向上効果や尿漏防止効果が効果的に発揮されないものとなっていた。
【０００７】
一方，吸収性本体の弾性伸縮部材による密着性向上効果などを阻害しないようにするために，前身頃外装体及び後身頃外装体に対して，吸収性本体の幅方向中央部分のみを接合するということも考えられる。しかし，架橋型使い捨ておむつにおいて，吸収性本体と前身頃外装体の固定や，吸収性本体と後身頃外装体の固定が不十分であると，着用者がおむつを装着している状態において，吸収性本体に位置ズレやヨレが生じ，結果として，尿漏れや着用感の低下を招く恐れがある。従って，架橋型使い捨ておむつでは，前身頃外装体及び後身頃外装体に対して，吸収性本体を適切に固定することも重要である。
【０００８】
このため，現在では，吸収性本体の両側部に配置される弾性伸縮部材の機能を損なうことなく，前身頃外装体及び後身頃外装体に対して，吸収性本体を安定的に固定することのできる使い捨ておむつが求められている。
【課題を解決するための手段】
【０００９】
そこで，本発明の発明者は，上記の従来発明の問題点を解決する手段について鋭意検討した結果，前身頃外装体と後身頃外装体に吸収性本体が取り付けられたタイプの使い捨ておむつであって，吸収性本体の長さ方向の両端領域においては，吸収性本体を幅方向全域に亘って前身頃外装体及び後身頃外装体に接合することで，吸収性本体の接合状態を安定させつつ，他方，吸収性本体の両側部に配置された弾性伸縮部材が存在する領域においては，吸収性本体を部分的に前身頃外装体及び後身頃外装体から離間させることにより，弾性伸縮部材の機能を効果的に発揮させることができるという知見を得た。そして，本発明者は，上記知見に基づけば，従来技術の課題を解決できることに想到し，本発明を完成させた。
具体的に説明すると，本発明は以下の構成を有する。
【００１０】
本発明は，使い捨ておむつに関する。
本発明の使い捨ておむつは，前身頃外装体１と，後身頃外装体２と，吸収性本体３を備える。吸収性本体３の前身頃側は，前身頃外装体１に固定され，吸収性本体３の後身頃側は，後身頃外装体２に固定される。また，吸収性本体３の前身頃側と後身頃側の間には，股下域が位置し，この股下域において，吸収性本体３は，前身頃外装体１及び後身頃外装体２のいずれにも固定されない。
また，吸収性本体３は，幅方向の左右両側部に，複数の弾性伸縮部材４が配置される。
この複数の弾性伸縮部材４は，吸収性本体３の長さ方向に沿って，少なくとも吸収性本体３の長さ方向の両端領域５１には達しない長さで配置されている。
ここで，吸収性本体３は，その長さ方向の両端領域５１において，前身頃外装体１及び後身頃外装体２に対して，幅方向全域に亘って接合されている。
さらに，吸収性本体３は，複数の弾性伸縮部材４が前身頃外装体１と後身頃外装体２に重なる箇所から，その幅方向に亘る伸縮領域５２を有している。
この伸縮領域５２は，幅方向の左右外側に位置する外側領域５２ａと，外側領域５２ａよりも幅方向の内側に位置する内側領域５２ｂに区分される。
外側領域５２ａは，複数の弾性伸縮部材４のうち，少なくとも，吸収性本体３の幅方向の最も外側に位置する外側弾性伸縮部材４ａが配置された領域である。この外側領域５２ａでは，吸収性本体３は，前身頃外装体１及び後身頃外装体２に対して接合されずに，離間している。
一方，この外側領域５２ａよりも幅方向内側に位置する内側領域５２ｂにおいて，吸収性本体３は，前身頃外装体１及び後身頃外装体２に対して接合される。
【００１１】
上記構成のように，まず，吸収性本体３は，その長さ方向の両端に位置する両端領域５１において，前身頃外装体１及び後身頃外装体２に対し，全面的に接合される。このように，吸収性本体３の両端部をしっかりと前身頃外装体１及び後身頃外装体２に固定することにより，吸収性本体の接合状態を安定させることができる。従って，例えば，着用者がおむつを装着している状態において，吸収性本体３に位置ズレやヨレが生じることを防止できる。
さらに，本発明では，少なくとも外側弾性伸縮部材４ａが配置された吸収性本体３の左右両側部に位置する外側領域５２ａにおいて，吸収性本体３を，前身頃外装体１及び後身頃外装体２から離間させる。このため，少なくとも外側弾性伸縮部材４ａは，吸収性本体３と前身頃外装体の固定や，吸収性本体３と後身頃外装体２の固定の影響を受けずに収縮する。従って，吸収性本体３は，外側弾性伸縮部材４ａが配置された箇所において，外側弾性伸縮部材４ａの収縮力を利用して，着用者の肌に当接する方向に起立することができる。よって，本発明は，吸収性本体３と着用者の肌の密着性を高め，尿漏れ防止や着用感の向上といった効果を適切に発揮することができる。
このように，本発明によれば，吸収性本体３の位置ズレやヨレを防止しつつも，弾性伸縮部材の機能を十分に発揮することができるため，使い捨ておむつ全体の使用感や着用感が向上する。
【００１２】
本発明において，吸収性本体３は，両端領域５１と伸縮領域５２の間に，中間領域５３を有することが好ましい。
そして，この中間領域５３において，吸収性本体３は，両端領域５１よりも狭く，かつ，伸縮領域５２の内側領域５２ｂよりも広い幅で，前身頃外装体１及び後身頃外装体２に対して接合されていることが好ましい。
なお，中間領域５３における接合幅は一定であってもよいし，両端領域５１から伸縮領域５２に向かって段階的に狭くなるものであってもよいし，無段階的に徐々に狭くなるものであってもよい。
【００１３】
上記構成のように，両端領域５１と伸縮領域５２の間に中間領域５３を設けることにより，前身頃外装体１及び後身頃外装体２に対する吸収性本体３の固定状態を，より安定させることができる。すなわち，本発明では，両端領域５１の接合幅と，伸縮領域５２における内側領域５２ｂの接合幅に差が生じることとなる。しかし，この接合幅の差が大きいと，例えば，着用者がおむつを着用しながら運動した場合など，吸収性本体３に負荷がかかったような場合に，吸収性本体３の両端領域５１の接合が剥離し易くなる。この点，本発明は，両端領域５１と伸縮領域５２の間に中間領域５３を設けて，各領域における接合幅の差を小さくすることにより，吸収性本体３全体の接合強度を向上させることが可能になるため，固定状態の安定化を図ることができる。
また，両端領域５１の接合幅と伸縮領域５２における内側領域５２ｂの接合幅の差が大きいと，その差の生じた箇所において，外装体にシワが形成され，見映えや手触り感が悪くなる。この点，本発明は，両端領域５１と伸縮領域５２の間に中間領域５３を設けて，各領域における接合幅の差を小さくすることにより，吸収性本体３の肌触りが滑らかなものとなり，着用感の向上を達成できる。
【００１４】
また，本発明において，前身頃外装体１と後身頃外装体２は，それぞれの左右両側部を対応させて重ね合わせた状態で接合する一対のサイドシール部１１，２１を有する。
そして，前身頃外装体１と後身頃外装体２は，一対のサイドシール部１１，２１が形成された箇所からおむつの幅方向に亘る第１の領域１２，２２と，第１の領域１２，２２から吸収性本体の股下域が存在する方向に延出した第２の領域１３，２３によって形成されていることとしてもよい。
この場合，第２の領域１３，２３は，おむつの幅方向の幅が，第１の領域１２，２２よりも狭く，かつ，股下域に向かって漸次狭くなる形状であることが好ましい。
そして，吸収性本体３は，伸縮領域５２が，前身頃外装体１と後身頃外装体２の第２の領域１３，２３を含む領域に位置するように，前身頃外装体１及び後身頃外装体２に接合されていることが好ましい。
【００１５】
上記構成のように，前身頃外装体１と後身頃外装体２の第２の領域１３，２３は，その幅方向外側にサイドシール部１１，２１が存在していない領域であるため，比較的自由になっている。このため，吸収性本体３の伸縮領域５２が，前身頃外装体１と後身頃外装体２の第２の領域１３，２３を含む領域に位置するように固定することで，伸縮領域５２に配置された複数の弾性伸縮部材４が，伸張又は収縮しやすくなり，吸収性本体３と着用者の肌の密着性を高め，尿漏れ防止や着用感の向上といった効果を適切に発揮することができる。
【発明の効果】
【００１６】
本発明は，吸収性本体３を，その長さ方向の両端に位置する両端領域５１において，前身頃外装体１及び後身頃外装体２に対して全面的に接合するものであるため，吸収性本体３の両端部をしっかりと固定することができる。これにより，前身頃外装体１及び後身頃外装体２に対する吸収性本体３の接合状態が安定し，吸収性本体３に位置ズレやヨレが生じることを防止できる。
【００１７】
さらに，本発明は，少なくとも外側弾性伸縮部材４ａが配置された吸収性本体３の左右両側部に位置する外側領域５２ａにおいて，吸収性本体３を，前身頃外装体１及び後身頃外装体２から離間させるため，少なくとも外側弾性伸縮部材４ａは，前身頃外装体１や後身頃外装体２に対する固定の影響を受けずに収縮可能となる。従って，吸収性本体３は，外側弾性伸縮部材４ａの収縮力を利用して，着用者の肌に当接する方向に起立するように機能するため，着用者の肌の密着性を高まり，尿漏れ防止や着用感の向上を達成できる。
【００１８】
よって，本発明によれば，吸収性本体の両側部に配置される弾性伸縮部材の機能を損なうことなく，前身頃外装体及び後身頃外装体に対して，吸収性本体を安定的に固定可能な使い捨ておむつを提供することができる。
【図面の簡単な説明】
【００１９】
【図１】図１は，本発明に係る使い捨ておむつの例を示す斜視図である。
【図２】図２は，本発明に係る使い捨ておむつの例を示す展開図である。
【図３】図３は，図２のＸ−Ｘ線における断面図である。
【図４】図４は，本発明に係る使い捨ておむつの例を示す展開図であり，前身頃外装体及び後身頃外装体に対する吸収性本体の接合部分を，斜線で示している。
【図５】図５は，図４に示した使い捨ておむつの断面図である。図５（ａ）は，図４のＸ１−Ｘ１線における断面形状を示し，図５（ｂ）は，図４のＸ２−Ｘ２線における断面形状を示し，図５（ｂ）は，図４のＸ３−Ｘ３線における断面形状を示している。
【発明を実施するための形態】
【００２０】
以下，図面を用いて本発明を実施するための形態について説明する。本発明は，以下に説明する形態に限定されるものではなく，以下の形態から当業者が自明な範囲で適宜修正したものも含む。
ここで，本願明細書において，「Ａ〜Ｂ」とは，「Ａ以上Ｂ以下」であることを意味する。
また，本願明細書において，使い捨ておむつや吸収性本体の「長さ方向」というときは，基本的に，前身頃側と後身頃側を結ぶ方向（図２における上下方向）を意味し，「幅方向」というときは，基本的に，長手方向に直交する方向（図２における左右方向）を意味する。
【００２１】
（１．使い捨ておむつの全体構成）
図１は，使い捨ておむつ１００の例を示す概略図であり，使い捨ておむつ１００を前身頃外装体１側からみた状態を示している。図２は，図１に示された使い捨ておむつ１００の展開図であり，使い捨ておむつ１００を，吸収性本体３のトップシート３２側からみた状態を示している。なお，図２においては，各所に配置された伸縮部材の位置関係を示すため，使い捨ておむつを構成する各種シート材を透過的に描画している。
【００２２】
図１及び図２に示されるように，使い捨ておむつ１００は，前身頃外装体１と，後身頃外装体２と，吸収性本体３を有している。前身頃外装体１は，装着時において着用者の腹部に接触し，後身頃外装体２は，装着時において着用者の背部に接触する。吸収性本体３は，その長さ方向の一端部側が前身頃外装体１に固定され，他端部側が後身頃外装体２に固定される。このため，本発明では，吸収性本体３が，前身頃外装体１と後身頃外装体２との間に架橋された状態となっている。吸収性本体３を，前身頃外装体１と後身頃外装体２に固定する手段は，公知の方法を用いることができ，例えば，ホットメルト接着剤やその他流動性のある接着剤を用いた固定方法に固定することとしてもよいし，ヒートシールのような熱溶着や超音波溶着により固定することとしてもよい。
【００２３】
また，前身頃外装体１と後身頃外装体２は，互いに幅方向両側縁に位置するサイドシール部１１において接合されることにより，前身頃外装体１及び後身頃外装体２が環状に繋がっている。このため，図１に示されるように，装着時に着用者の腰周りに位置する腰周り開口部５と，装着時に着用者の脚部周りに位置する脚部周り開口部６が形成される。このようにして，架橋型の使い捨ておむつ１００が形成される。着用者は，その腹部が前身頃外装体１に接触し，背部が後身頃外装体２に接触するようにして，腰周り開口部５からに両脚部を入れ，それぞれの脚部を脚部周り開口部６から出すことで，架橋型の使い捨ておむつ１００を装着することができるようになっている。
【００２４】
（２．使い捨ておむつの各部構成）
以下，図面を用いて，本発明の使い捨ておむつ１００の具体的な各部の構成について具体的に説明する。
【００２５】
（２−１．前身頃外装体，及び後身頃外装体）
前身頃外装体１及び後身頃外装体２は，着用者の腹部及び背部に接触するとともに，使い捨ておむつ１００の着用時において，前身頃外装体１及び後身頃外装体２の間に位置する吸収性本体３を，吊持するための部材である。
【００２６】
前身頃外装体１と後身頃外装体２は，おむつの幅方向の左右両側縁部に，一対のサイドシール部１１，２１を有している。前身頃外装体１と後身頃外装体２は，おむつの幅方向の左右両側縁部を互いに重ね合わせた状態で，一対のサイドシール部１１，２１において接合される。この一対のサイドシール部１１，２１は，おむつの長さ方向に延びて直線的に形成される。サイドシール部１１，２１において，前身頃外装体１と後身頃外装体２は，例えば，熱エンボス溶着や超音波エンボス溶着のような公知の接合手段により接合される。
【００２７】
また，前身頃外装体１と後身頃外装体２において，この一対のサイドシール部１１，２１が存在する箇所から，おむつ幅方向に亘る領域が，第１の領域１２，２２となる。図２に示されるように第１の領域１２，２２は，略矩形状に形成される。また，前身頃外装体１と後身頃外装体２において，第１の領域１２，２２からは，おむつの股下域３ａに向かって，第２の領域１３，２３が延出されている。この第２の領域１３，２３は，おむつの幅方向両側に，サイドシール部１１，２１が形成されていない領域である。図２に示されるように，おむつの幅方向において，第２の領域１３，２３の幅は，第１の領域１２，２２と比較して，おむつの股下域３ａに向かうにつれて，漸次幅狭となっている。
【００２８】
具体的に説明すると，図２に示された展開図において，前身頃外装体１は，腰周り端となる辺である長辺１ａと，一対のサイドシール部１１が形成された一対の両側辺１ｂと，長辺１ａと略平行に形成され吸収性本体３が固定される辺である短辺１ｃと，一対の両側辺１ｂと短辺１ｃを結ぶ一対の斜辺１ｄを有する形状となっている。この場合に，一対の両側辺１ｂの一端同士を長辺１ａで結び，一対の両側辺１ｂの他端同士を仮想の線で結んだ場合に，画定される略矩形状の領域が，前身頃外装体１の第１の領域１２となる。他方，一対の斜辺１ｄの一端同士を短辺１ｃで結び，一対の斜辺１ｄの他端同士を仮想の線で結んだ場合に，画定される略台形状の領域が，前身頃外装体１の第２の領域１３となる。
また，後身頃外装体２についても同様に，腰周り端となる辺である長辺２ａと，一対のサイドシール部２１が形成された一対の両側辺２ｂと，長辺２ａと略平行に形成され吸収性本体３が固定される辺である短辺２ｃと，一対の両側辺２ｂと短辺２ｃを結ぶ一対の斜辺２ｄを有する形状となっている。この場合に，一対の両側辺２ｂの一端同士を長辺２ａで結び，一対の両側辺２ｂの他端同士を仮想の線で結んだ場合に，画定される略矩形状の領域が，後身頃外装体２の第１の領域２２となる。他方，一対の斜辺２ｄの一端同士を短辺２ｃで結び，一対の斜辺２ｄの他端同士を仮想の線で結んだ場合に，画定される略台形状の領域が，後身頃外装体２の第２の領域２３となる。
ただし，図２に示されるように，前身頃外装体１については，一対の斜辺１ｄの傾斜が，後身頃外装体２における一対の斜辺２ｄの傾斜よりも緩やかになっている。このため，前身頃外装体１と後身頃外装体２を接合した場合であっても，脚部周り開口部６は，前身頃外装体１側の方が比較的広く開けることとなり，着用者の脚部が動き易くなっている。
【００２９】
（２−１−１．インナーシートとアウターシート）
前身頃外装体１と後身頃外装体２は，例えば，インナーシート１４，２４とアウターシート１５，２５を重ね合わせることにより構成されている。インナーシート１４，２４は，着用者の肌に接する面（肌当接面）側に配置され，アウターシート１５，２５は，着用者の肌に接しない面（肌非当接面）側に配置される。インナーシート１４，２４とアウターシート１５，２５は，別途形成されたシート材であってもよいし，例えば一枚のシート材を使い捨ておむつの腰周り開口部の端縁に相当する位置で折り返すことにより一体的に形成されたものであってもよい。インナーシート１４，２４とアウターシート１５，２５は，例えば，柔軟な繊維不織布やプラスチックシートや，それらのラミネートシートによって形成されている。インナーシート１４，２４とアウターシート１５，２５の間は，例えばホットメルト接着剤によって接着される。さらに，インナーシート１４，２４とアウターシート１５，２５の間には，使い捨ておむつの幅方向に沿って，複数のタミー伸縮部材１６，２６や，複数のウエスト伸縮部材１７，２７が，伸長状態で固定されている。
【００３０】
（２−１−２．タミー伸縮部材とウエスト伸縮部材）
タミー伸縮部材１６，２６は，前身頃外装体１及び後身頃外装体２の幅方向にわたって伸長状態で配置されており，収縮することにより，使い捨ておむつの腰周りにタミーギャザーを形成するための部材である。図２に示されるように，前身頃外装体１と後身頃外装体２には，使い捨ておむつの幅方向に沿って，複数のタミー伸縮部材１６，２６が配置されている。複数のタミー伸縮部材１６，２６は，前身頃外装体１と後身頃外装体２のうち，吸収性本体３が配置される腰周りの領域に配置される。また，複数のタミー伸縮部材１６，２６は，前身頃外装体１や後身頃外装体２を構成するインナーシート１４，２４とアウターシート１５，２５の間に伸長状態で固定されており，収縮することにより，前身頃外装体１と後身頃外装体２の腰周りの領域に，タミーギャザーを形成する。複数のタミー伸縮部材１６，２６の数は，例えば，１０本〜３０本，１２本〜２８本，１５本〜２５本であることが好ましい。また，複数のタミー伸縮部材１６，２６は，前身頃外装体１や後身頃外装体２の幅方向のほぼ全体にわたって，直線状に形成されていることが好ましく，複数のタミー伸縮部材１６，２６のそれぞれは，実質的に平行に配置されることが好ましい。
【００３１】
図２に示されるように，使い捨ておむつを着用者の肌に接触する面（肌当接面）側から見ると，複数のタミー伸縮部材１６，２６の一部は，吸収性本体３と重畳して配置されている。また，複数のタミー伸縮部材１６，２６のうち，吸収性本体３の吸収体３１と重畳するものは，前身頃外装体１と後身頃外装体２の幅方向中央部において，一部間欠的に形成されている。すなわち，複数のタミー伸縮部材１６，２６のうち，吸収性本体３の吸収体３１と重畳するものは，前身頃外装体１と後身頃外装体２の幅方向両側部にのみ配置される。ここで，タミー伸縮部材１６，２６は，吸収性本体３の吸収体３１と重畳する部分が完全に間欠するものではなく，タミー伸縮部材１６，２６は，部分的に，吸収性本体３の吸収体３１と部分的に重畳するものであることが好ましい。
【００３２】
ウエスト伸縮部材１７，２７は，前身頃外装体１及び後身頃外装体２の腹周り開口部５の端縁に沿って配置され，収縮することにより，使い捨ておむつの腹周り開口部５の近傍に，ウエストギャザーを形成するための部材である。複数のウエスト伸縮部材１７，２７は，インナーシート１４，２４とアウターシート１５，２５の間に伸長状態で固定されている。ウエスト伸縮部材１７，２７の数は，２本以上であればよく，例えば，２本〜１５本，４本〜１２本，又は６本〜９本であることとしても良い。複数のウエスト伸縮部材１７，２７は，図２に示されるように，使い捨ておむつの長手方向に所定間隔で配置されている。また，複数のウエスト伸縮部材１７，２７は，略平行に並置されることが好ましい。図２に示されるように，複数のウエスト伸縮部材１７，２７は，その伸長状態において，前身頃外装体１と後身頃外装体２の幅方向のほぼ全域に延びて配置されていることが好ましく，例えば，複数のウエスト伸縮部材１７，２７は，前身頃外装体１と後身頃外装体２の幅方向の長さに対して，８０％〜９９％，又は８５％〜９５程度の領域に伸長状態で配置されていることが好ましい。
【００３３】
上記タミー伸縮部材１６，２６やウエスト伸縮部材１７，２７には，公知の弾性伸縮部材を用いることができる。例えば，これらの伸縮部材には，糸状弾性ゴムを適用することが好ましい。このようなゴム材としては，スチレン系ゴム，オレフィン系ゴム，ウレタン系ゴム，エステル系ゴム，ポリウレタン，ポリエチレン，ポリスチレン，スチレンブタジエン，シリコーン，又はポリエステル等の素材を用いることができる。なお，タミー伸縮部材１６，２６の形成材料は必ずしもこれらの材料に限定されるものではなく，例えば熱可塑性エラストマー，プラスチックシート，又はゴムシート等の伸縮性を有する公知の種々のものを用いることができる。
【００３４】
（２−２．吸収性本体）
吸収性本体３は，前身頃外装体１と後身頃外装体２の間に架橋された状態で保持され，使い捨ておむつ１００の着用時において，着用者の股下に位置し，着用者が排泄した尿などの液体を吸収保持するための部材である。図２に示されるように，吸収性本体３は，前身頃外装体１及び後身頃外装体２に接合される両端の辺を一対の短辺とし，一対の短辺の両端同士を結ぶ辺を一対の長辺とした略矩形状で形成されている。
吸収性本体３は，吸収体３１と，トップシート３２と，バックシート３３と，一対の立体ギャザー３４と，カバーシート３５と，複数の弾性伸縮部材４を基本構成とする。また，この弾性伸縮部材４は，外側ギャザー伸縮部材４１と内側ギャザー伸縮部材４２に分けられる。
図３は，図２に示されたＸ−Ｘ線における使い捨ておむつ１００の断面図を示している。以下，図面を参照して，吸収性本体３の各部の構成について説明する。
【００３５】
（２−２−１．吸収体）
吸収体３１は，尿などの液体を吸収し，吸収した液体を保持するための部材である。吸収体３１は，液透過性のトップシート３２と，液不透過性のバックシート３３の間に配置される。吸収体３１は，トップシート３２を透過した液体を吸収する機能を有し，吸収性材料により構成される。吸収体３１を構成する吸収性材料には，公知の材料を採用することができる。吸収性材料としては，例えば，フラッフパルプ，高吸収性ポリマー，又は親水性シートを用いることとしても良い。また，吸収性材料には，フラッフパルプ，高吸収性ポリマー，又は親水性シートのうち１種類を単独で用いてもよいし，２種類以上を併用することとしてもよい。吸収性材料は，通常，単層又は複数層のマット状に形成され，用いられる。また，吸収体３１は，トップシート３２とバックシート３３の間の領域に封入されることが好ましい。すなわち，図３に示されるように，トップシート３２とバックシート３３は，吸収体３１の周囲を囲うようして，互いに接合されることが好ましい。
【００３６】
吸収体３１の形状は，適宜，使い捨ておむつの形状や，大きさ，用途に合せて設計することができる。例えば，吸収体３１の形状は，図２に示されるように，砂時計型であることが好ましい。砂時計型とは，前身頃外装体１側と後身頃外装体２側において，吸収体３１の両側縁が，幅方向外側に向かって延出した延出部を有することを意味する。砂時計型では，吸収体３１の四隅に延出部が形成されることにより，吸収体３１の長手方向中央部に，吸収体３１の内方に向かって湾曲又は屈折したくびれ部が形成される。また，吸収体３１は，一般的な使い捨ておむつに使用されている，矩形型，楕円形型，又はひょうたん型とすることとしてもよい。
【００３７】
（２−２−２．トップシート）
トップシート３２は，着用者の股下部の肌に直接接し，尿などの液体を吸収体３１に透過させるための部材である。このため，トップシート３２は，柔軟性が高い液透過性材料で構成される。また，トップシート３２は，吸収体３１の表面を被覆するように配置される。トップシート３２を構成する不透過性材料の例は，織布，不織布，又は多孔性フィルムである。また，例えばポリプロピレンやポリエチレン，ポリエステル，ナイロンのような熱可塑性樹脂の繊維を親水化処理してさらに不織布にしたものを用いることとしてもよい。
【００３８】
（２−２−３．バックシート）
バックシート３３は，トップシート３２を透過し吸収体３１に吸収された液体が，漏出することを防止するための部材である。このため，バックシート３３は，液不透過性材料によって構成される。そして，バックシート３３は，吸収体３１の底面からの液漏れを防止するため，吸収体３１の底面を被覆するように配置される。バックシート３３を構成する不透過材料の例は，ポリエチレン樹脂からなる液不透過性のフィルムである。特に，０．１〜４μｍの微細な孔が複数形成された微多孔性ポリエチレンフィルムを用いることが好ましい。また，図３に示されるように，バックシート３３には吸収体３１が載置され，載置された吸収体３１の上面がトップシート３２によって被覆され，吸収体３１を被覆したトップシート３２が，吸収体３１の両側縁に沿って，バックシート３３に接着されている。トップシート３２とバックシート３３は，例えば，ホットメルト接着剤やその他流動性のある接着剤を用いた接着方法により接着されてもよいし，ヒートシールのような熱溶着や超音波溶着により接着されていてもよい。
【００３９】
（２−２−４．立体ギャザー）
一対の立体ギャザー３４は，吸収性本体３の両側縁部に沿って起立し，着用者が排泄した尿の横漏れを防止するための部材である。一対の立体ギャザー３４は，吸収性本体３の両側縁部に沿って一対形成されるものであってもよいし，２対以上形成されてもよい。立体ギャザー３４は，起立した状態（弾性伸縮部材が収縮した状態）において尿の防漏壁となるため，トップシート３２を透過しなかった尿や，吸収体３１により吸収しきれなった尿が，使い捨ておむつの脚部周り開口部などから漏出する事態を防止できる。
【００４０】
立体ギャザー３４は，吸収体３１の両側縁に沿っては配置されたサイドシート３４ａによって形成される。図３にされるように，サイドシート３４ａは，使い捨ておむつの長手方向に沿って，トップシート３２上に固定される。また，サイドシート３４ａは，トップシート３２及びバックシート３３の両側縁を挟みこむようにして，トップシート３２の上面及びバックシート３３の底面に固定されている。
【００４１】
立体ギャザー３４は，複数の弾性伸縮部材４が，使い捨ておむつの長手方向に沿って配設されており，複数の弾性伸縮部材４の収縮力を利用して起立するものである。つまり，弾性伸縮部材４は，伸張された状態で，サイドシート３４ａに固定されている。このため，弾性伸縮部材４が収縮すると，立体ギャザー３４を構成するサイドシート３４ａも収縮し，立体ギャザー３４が立ち上がる。弾性伸縮部材４を配設する位置は，立体ギャザーの形態や，使い捨ておむつの形状や大きさに合せて適宜変更可能である。
【００４２】
また，図２に示されるように，複数の弾性伸縮部材４は，吸収性本体３の長さ方向全体に亘って配設されるものではなく，吸収性本体３の長さ方向の股下域３ａを中心に配設される。すなわち，サイドシート３４ａは，吸収性本体３の長さ方向の両端の領域において，立体ギャザー伸縮部材５２が配設されていない領域を有している。なお，吸収性本体３の股下域３ａとは，吸収性本体３が，前身頃外装体１と後身頃外装体２のいずれにも固定されていない領域を意味する。
ただし，少なくとも，複数の弾性伸縮部材４は，吸収性本体３の股下域３ａを中心として，前身頃外装体１と後身頃外装体２に重畳する長さで形成される。すなわち，吸収性本体３の長手方向において，複数の弾性伸縮部材４が配置される長さは，吸収性本体３の股下域３ａの長さよりも長くなる。例えば，吸収性本体３の股下域３ａの長さに対して，複数の弾性伸縮部材４の長さは，１１０％〜２００％，１２０％〜１８０％，又は１３０％〜１７０％で形成される。
【００４３】
また，図３に示されるように，立体ギャザー３４のそれぞれは，外側ギャザー部３４１と内側ギャザー部３４２の２対のギャザー部で形成されるものであることが好ましい。また，外側ギャザー部３４１と内側ギャザー部３４２は，一枚のシート材（サイドシート３４ａ）から構成されるものであってもよい。すなわち，図３に示されるように，吸収体３１の長手方向に沿って，バックシート３３の裏面（肌非当接面）に一部固定されたサイドシート３４ａを，トップシート３２とバックシート３３の接合位置よりも幅方向外側において，吸収性本体３の内方に向かって折り返して，外側折返部３４１ａを形成する。そして，サイドシート３４ａの外側折返部３４１ａには，使い捨ておむつの長手方向に沿って，複数の外側ギャザー伸縮部材４１が配置される。これにより，サイドシート３４ａは，外側折返部３４１ａにおいて，外側ギャザー伸縮部材４１の収縮力を利用して起立し，外側ギャザー部３４１を形成する。
また，外側折返部３４１ａにおいて折り返されたサイドシート３４ａの一部は，トップシート３２とバックシート３３を挟み込むように，トップシート３２の表面（肌当接面）上に固定される。さらに，サイドシート３４ａは，トップシート３２との固定線より幅方向内側にも延在しており，この延在している部分が，吸収体３１の幅方向内方又は幅方向外方に向かって折り返され，内側折返部３４２ａを形成する。そして，サイドシート３４ａの内側折返部３４２ａには，使い捨ておむつの長手方向に沿って，複数の内側ギャザー伸縮部材４２が配置される。
これにより，立体ギャザー３４には，外側ギャザー部３４１と内側ギャザー部３４２が形成される。
【００４４】
立体ギャザー３４を構成するサイドシート３４ａとしては，撥水性を有する材料を用いることが好ましい。撥水性の材料の例としては，撥水性が高くかつ通気性が良いという観点から，スパンボンドやカードエンボスのような不織布を用いることが好ましい。特に，耐水圧が高いという理由から，ＳＭＳ（スパンボンド／メルトブロー／スパンボンド）や，ＳＭＭＳ（スパンボンド／メルトブロー／メルトブロー／スパンボンド）のような目の詰まった不織布を用いることが好ましい。
【００４５】
（２−２−５．カバーシート）
カバーシート３５は，バックシート３３を補強し，かつ，その手触りを良くするための部材である。図３に示されるように，カバーシート３５は，バックシート３３の衣類と対抗する側に貼り合わせられる。カバーシート３５は，サイドシート３４ａの一部に重畳して貼り合わせられるものであってもよい。カバーシート３５を構成する材料としては，織布や不織布が用いられる。特に，カバーシート３５を構成する材料として，ポリエチレン，ポリプロピレン，ポリエステルのような熱可塑性樹脂からなる不織布又は湿式不織布を用いることが好ましい。
【００４６】
（３．前身頃外装体及び後身頃外装体に対する吸収性本体の接合態様について）
続いて，図４及び図５を参照して，前身頃外装体１及び後身頃外装体２に対する吸収性本体３の接合態様について説明する。
図４は，基本的に図２に示された平面図と同様のものであるが，吸収性本体３が前身頃外装体１及び後身頃外装体２に接合される部分を，斜線で示している。
また，図５は，図４に示した使い捨ておむつの断面図を示している。図５（ａ）は，図４に示されたＸ１−Ｘ１線における断面図であり，図５（ｂ）は，Ｘ２−Ｘ２線における断面図であり，図５（ｃ）は，Ｘ３−Ｘ３線における断面図である。なお，図５は，基本的に，吸収性本体３と前身頃外装体１の接合部分の断面図を示しているが，これらの断面図は，対応する吸収性本体３と後身頃外装体２の接合部分の断面図と同様である。このため，吸収性本体３と後身頃外装体２の接合部分の断面図は省略する。
【００４７】
図４に示された実施形態において，吸収性本体３が前身頃外装体１及び後身頃外装体２に重なる領域は，吸収性本体３の長手方向に，両端領域５１と，伸縮領域５２と，中間領域５３に区分される。
【００４８】
（３−１．両端領域）
両端領域５１は，吸収性本体３の長さ方向の両端部分に形成される領域である。すなわち，両端領域５１は，吸収性本体３と前身頃外装体１が接合する領域の端部と，吸収性本体３と後身頃外装体２が接合する領域の端部に形成される。両端領域５１は，吸収性本体３の長さ方向の端縁から，所定長さ，吸収性本体３の股下域３ａが存在する方向に延びて形成されている。例えば，両端領域５１は，吸収性本体３の長さ方向の端縁から，５ｍｍ〜５０ｍｍ，１０ｍｍ〜４５ｍｍ，又は１５ｍｍ〜４０ｍｍ程度の範囲で，吸収性本体３の股下域３ａに向かって形成されることが好ましい。また，例えば，両端領域５１は，吸収性本体３が前身頃外装体１に接合された領域と，吸収性本体３が後身頃外装体２に接合された領域のそれぞれにおいて，５％〜３０％，又は１０％〜２０％の割合の面積で形成されていることが好ましい。
【００４９】
図４に示されるように，吸収性本体３は，その幅方向の左右両側部に複数の弾性伸縮部材４を有している。この複数の弾性伸縮部材４は，吸収性本体３の股下域３ａを中心として配置され，吸収性本体３の両端領域５１に達しない長さとなっている。このため，吸収性本体の両端領域５１には，弾性伸縮部材４が介在しない。
【００５０】
そして，図４に示されるように，吸収性本体３は，両端領域５１において，前身頃外装体１及び後身頃外装体２と，全域に亘って接合されている。両端領域５１における具体的な接合状態は，図５（ａ）に示されている。図５（ａ）は，吸収性本体３の両端領域５１の断面図を示している。図５（ａ）に示されるように，吸収性本体３は，その幅方向の全域に亘って第１の接合部６１が形成されており，この第１の接合部６１において，前身頃外装体１と接合されている。このように，吸収性本体３は，両端領域５１において，前身頃外装体１及び後身頃外装体２と，離間する部分なく接合されていることが好ましい。
【００５１】
また，図４に示されるように，両端領域５１は，吸収性本体３の吸収体３１の長さ方向の両端部分に重なって形成されていることが特に好ましい。すなわち，両端領域５１は，吸収性本体３の長さ方向端縁から，吸収性本体３の股下域に向かって，吸収体３１の端部が存在する位置まで延びて形成されていることが好ましい。このように，両端領域５１に，吸収性本体３の吸収体３１を位置させることにより，例えば，着用者がおむつを装着している状態において，吸収性本体３の吸収体３１に位置ズレやヨレが生じることを防止できる。
【００５２】
（３−２．伸縮領域）
続いて，吸収性本体３が前身頃外装体１及び後身頃外装体２に重なる領域には，伸縮領域５２が存在する。伸縮領域５２は，吸収性本体３の左右両側部に配置された複数の弾性伸縮部材４が，前身頃外装体１と後身頃外装体２に重なる箇所から，吸収性本体３の幅方向に亘って形成された領域である。伸縮領域５２は，吸収性本体３に形成される各領域のうち，最も股下域３ａに近接した位置に形成される。すなわち，伸縮領域５２は，吸収性本体３を，前身頃外装体１と後身頃外装体２の股下域３ａ側の端部に接合する領域である。
【００５３】
例えば，伸縮領域５２は，前身頃外装体１と後身頃外装体２の股下域３ａ側の端縁から，１０ｍｍ〜１００ｍｍ，２０ｍｍ〜９０ｍｍ，又は３０ｍｍ〜８０ｍｍ程度の範囲で，吸収性本体３の長手方向に形成されることが好ましい。また，例えば，伸縮領域５２は，吸収性本体３が前身頃外装体１に接合された領域と，吸収性本体３が後身頃外装体２に接合された領域のそれぞれにおいて，２０％〜６０％，又は３０％〜５０％の割合の面積を占めることが好ましい。特に，伸縮領域５２は，前身頃外装体１と後身頃外装体２の第２の領域１３，２３を含む領域に位置するものであることが好ましい。また，伸縮領域５２は，吸収性本体３が前身頃外装体１される領域と，吸収性本体３が前身頃外装体１される領域とにおいて，占有面積率が異なるものであってもよい。
【００５４】
伸縮領域５２は，さらに，吸収性本体３の幅方向の左右外側に位置する外側領域５２ａと，外側領域５２ａの内側に位置する内側領域５２ｂに区分される。左右一対の外側領域５２ａは，吸収性本体３の左右両側部に配置された複数の弾性伸縮部材４のうち，少なくとも，吸収性本体３の幅方向の最も外側に位置する外側弾性伸縮部材４ａが配置された領域である。ただし，外側領域５２ａには，外側弾性伸縮部材４ａの他，一又は複数の弾性伸縮部材４が配置されていてもよい。例えば，図４に示した例において，外側領域５２ａには，外側弾性伸縮部材４ａの他に，一本の弾性伸縮部材４が配置されている。
【００５５】
また，伸縮領域５２のうち，左右一対の外側領域５２ａの間の領域には，内側領域５２ｂが形成される。伸縮領域５２において，内側領域５２ｂが占める面積の割合は，一対の外側領域５２ａが占める面積の割合よりも大きいものであることが好ましい。例えば，内側領域５２ｂが占める面積の割合は，７０〜９５％，８５％〜９０％，又は８０％〜８５％であることが好ましい。
【００５６】
そして，図４に示されるように，吸収性本体３は，伸縮領域５２において，前身頃外装体１及び後身頃外装体２に対し，左右一対の外側領域５２ａでは離間し，その間の内側領域５２ｂでは全面的に接合されている。伸縮領域５２における具体的な接合状態は，図５（ｂ）に示されている。図５（ｂ）は，吸収性本体３の伸縮領域５２の断面図を示している。図５（ｂ）に示されるように，吸収性本体３は，内側領域５２ｂの全域に亘って，第２の接合部６２が形成されており，この第２の接合部６２において，前身頃外装体１と接合されている。他方，吸収性本体３は，内側領域５２ｂの幅方向外側に位置する一対の外側領域５２ａに接合部を有しておらず，前身頃外装体１から離間している。すなわち，一対の外側領域５２ａには，少なくとも，吸収性本体３の幅方向の最も外側に位置する外側弾性伸縮部材４ａが含まれており，外側弾性伸縮部材４ａは，前身頃外装体１には固定されないようになっている。このように，吸収性本体３は，伸縮領域５２においては，前身頃外装体１及び後身頃外装体２に対し，一対の外側領域５２ａで離間し，その間に位置する内側領域５２ｂで接合されていることが好ましい。
【００５７】
また，図４に示されるように，伸縮領域５２における内側領域５２ｂの幅は，吸収性本体３の吸収体３１の幅よりも大きいものであることが好ましい。すなわち，伸縮領域５２における内側領域５２ｂは，吸収性本体３の吸収体３１よりも幅方向外側に広がって形成されたものであることが好ましい。このように，伸縮領域５２における内側領域５２ｂを，吸収性本体３の吸収体３１よりも幅広に形成することにより，例えば，着用者がおむつを装着している状態において，吸収性本体３の吸収体３１に位置ズレやヨレが生じることを防止できる。
【００５８】
また，図５（ｂ）に示されるように，吸収性本体３に，外側ギャザー部３４１と内側ギャザー部３４２が形成された形態において，伸縮領域５２における内側領域５２ｂには，少なくとも，外側ギャザー部３４１を形成する複数の外側ギャザー伸縮部材４１うちの一本以上が位置していることが好ましい。すなわち，複数の外側ギャザー伸縮部材４１うち，吸収性本体３の幅方向において，最も外側に位置する外側ギャザー伸縮部材４１（外側弾性伸縮部材４ａ）は，伸縮領域５２の外側領域５２ａに位置し，他方，最も内側に位置する外側ギャザー伸縮部材４１は，伸縮領域５２の内側領域５２ｂに位置するものであることが好ましい。これにより，最も外側に位置する外側ギャザー伸縮部材４１（外側弾性伸縮部材４ａ）は，前身頃外装体１及び後身頃外装体２に接合されず，離間する。他方，最も内側に位置する外側ギャザー伸縮部材４１は，前身頃外装体１及び後身頃外装体２に接合される。このように，複数の外側ギャザー伸縮部材４１が，前身頃外装体１及び後身頃外装体２から離間するものと，前身頃外装体１及び後身頃外装体２に接合されるものを有することにより，外側ギャザー伸縮部材４１の機能を損なうことなく，前身頃外装体１及び後身頃外装体２に対して吸収性本体３を安定的に接合することができるようになる。
【００５９】
（３−３．中間領域）
さらに，吸収性本体３が前身頃外装体１及び後身頃外装体２に重なる領域には，中間領域５３が存在することが好ましい。中間領域５３は，吸収性本体３の長さ方向において，両端領域５１と伸縮領域５２の間に位置する領域である。中間領域５３には，両端領域５１と同様に，吸収性本体３の両側部に配置された複数の弾性伸縮部材４が位置しないものであってもよいし，伸縮領域５２に位置する弾性伸縮部材４の一部が延在するものであってもよい。なお，中間領域５３は，両端領域５１と伸縮領域５２の間を繋ぐものであり，必須の要素ではない。
【００６０】
例えば，中間領域５３は，吸収性本体３が前身頃外装体１に接合された領域と，吸収性本体３が後身頃外装体２に接合された領域のそれぞれにおいて，１０％〜７５％，又は３０％〜６０％の割合の面積を占めることが好ましい。中間領域５３の面積率は，両端領域５１と伸縮領域５２の面積率に応じて適宜変更可能である。また，中間領域５３は，吸収性本体３が前身頃外装体１される領域と，吸収性本体３が後身頃外装体２に接合される領域とにおいて，占有面積率が異なるものであってもよい。
【００６１】
中間領域５３は，さらに，吸収性本体３の幅方向の中央に位置する接合領域５３ａと，接合領域５３ａの幅方向外側に位置する非接合領域５３ｂに区分される。吸収性本体３の幅方向において，中間領域５３の接合領域５３ａの幅は，両端領域５１の幅よりも狭く，かつ，伸縮領域５２の内側領域５２ｂの幅よりも広く形成されている。例えば，中間領域５３の接合領域５３ａの幅は，両端領域５１の幅に対して，７０％〜９５％，７５％〜９０％，又は８０％〜８５％であることが好ましい。また，例えば，中間領域５３の接合領域５３ａの幅は，伸縮領域５２の内側領域５２ｂの幅に対して，１０５％〜１５０％，１１０％〜１３０％，又は１１５％〜１２０％であることが好ましい。また，図４に示された例において，中間領域５３の接合領域５３ａの幅は，一定である。ただし，中間領域５３の接合領域５３ａの幅は，両端領域５１から伸縮領域５２に向かって段階的に狭くなるものであってもよいし，無段階的に徐々に狭くなるものであってもよい。
【００６２】
中間領域５３において，接合領域５３ａが占める面積の割合は，一対の非接合領域５３ｂが占める割合よりも大きいものであることが好ましい。例えば，非接合領域５３ｂが占める割合は，７０〜９５％，８５％〜９０％，又は８０％〜８５％であることが好ましい。なお，中間領域５３の非接合領域５３ｂの幅は，接合領域５３ａの幅に応じて適宜変化させればよい
【００６３】
そして，図４に示されるように，吸収性本体３は，中間領域５３において，前身頃外装体１及び後身頃外装体２に対し，接合領域５３ａでは全面的に接合されて，その外側に位置する非接合領域５３ｂでは離間している。具体的な接合状態は，図５（ｃ）に示されている。図５（ｃ）は，吸収性本体３の中間領域の断面図を示している。図５（ｃ）に示されるように，吸収性本体３は，接合領域５３ａの全域に亘って，第３の接合部６３が形成されており，この第３の接合部６３において，前身頃外装体１と接合されている。他方，吸収性本体３は，接合領域５３ａの幅方向外側に位置する一対の非接合領域５３ｂに接合部を有しておらず，前身頃外装体１から離間している。
【００６４】
また，図４に示されるように，中間領域５３における接合領域５３ａの幅は，吸収性本体３の吸収体３１の幅よりも大きいものであることが好ましい。すなわち，中間領域５３における接合領域５３ａは，吸収性本体３の吸収体３１よりも幅方向外側に広がって形成されたものであることが好ましい。このように，接合領域５３ａを，吸収性本体３の吸収体３１よりも幅広に形成することにより，例えば，着用者がおむつを装着している状態において，吸収性本体３の吸収体３１に位置ズレやヨレが生じることを防止できる。
【００６５】
本発明では，両端領域５１の接合幅と，伸縮領域５２における内側領域５２ｂの接合幅に差が生じることとなるため，この接合幅の差が大きいと，例えば，着用者がおむつを着用しながら運動した場合など，吸収性本体３に負荷が掛かったような場合に，吸収性本体３の両端領域５１の接合が剥離し易くなる。そこで，両端領域５１と伸縮領域５２の間に中間領域５３を設けて，各領域における接合幅の差を小さくすることにより，吸収性本体３全体の接合強度を向上させることが可能になり，固定状態の安定化を図ることができる。
また，両端領域５１と伸縮領域５２の間に中間領域５３を設けて，各領域における接合幅の差を小さくすることにより，外装体に不要なシワが入らず，見映えや手触り感が良好になる。
【００６６】
以上，本願明細書では，本発明の内容を表現するために，図面を参照しながら発明の実施形態の説明を行った。ただし，本発明は，上記実施形態に限定されるものではなく，本願明細書に記載された事項に基づいて当業者が自明な変更形態や改良形態を包含するものである。
例えば，吸収性本体３の伸縮領域５２における外側領域５２ａには，吸収性本体３の左右両側部に配置された複数の弾性伸縮部材４のすべてが含まれ，弾性伸縮部材４のすべてが，前身頃外装体１及び後身頃外装体２から離間したものであってもよい。
また，例えば，吸収性本体３は，両端領域５１と伸縮領域５２の間に，中間領域５３が複数形成されたものであってもよい。
【産業上の利用可能性】
【００６７】
本発明に係る使い捨ておむつは，乳幼児や高齢者用のおむつに適用することができる。従って，本発明は，育児及び介護に関する産業において好適に利用し得る。
【符号の説明】
【００６８】
１          前身頃外装体
２          後身頃外装体
３          吸収性本体
３ａ        股下域
４          弾性伸縮部材
４ａ        外側弾性伸縮部材
５          腰周り開口部
６          脚部周り開口部
１１，２１  サイドシール部
１２，２２  第１の領域
１３，２３  第２の領域
１４，２４  インナーシート
１５，２５  アウターシート
１６，２６  タミー伸縮部材
１７，２７  ウエスト伸縮部材
３１        吸収体
３２        トップシート
３３        バックシート
３４        立体ギャザー
３４ａ      サイドシート
３４１      外側ギャザー部
３４１ａ    外側折返部
３４２      内側ギャザー部
３４２ａ    内側折返部
３５        カバーシート
４１        外側ギャザー伸縮部材
４２        内側ギャザー伸縮部材
５１        両端領域
５２        伸縮領域
５２ａ      外側領域
５２ｂ      内側領域
５３        中間領域
５３ａ      接合領域
５３ｂ      非接合領域
６１        第１の接合部
６２        第２の接合部
６３        第３の接合部
１００      使い捨ておむつ
【図１】
0006391208.tif 000002
【図２】
0006391208.tif 000003
【図３】
0006391208.tif 000004
【図４】
0006391208.tif 000005
【図５】
0006391208.tif 000006